(57)【要約】【課題】簡単な構成で従前のブラインド機能に加えて遮光、断熱あるいは導光、導熱等によって室内環境を四季を通じて快適に保持することができるブラインドを提供することを目的とする。【解決手段】ブラインドの外表面に支持シート５に積層されたアルミニウムシートあるいはアルミニウム箔６よりなる遮熱シート４を配設した構成としたものである。また、遮熱シート４をブラインドの外表面に溶着した構成としたものである。さらに、支持シートをポリエチレン樹脂で構成したものである。【選択図】図１
2012202198.tif 000002
【特許請求の範囲】
【請求項１】
ブラインドの外表面に支持シートに積層されたアルミニウムシートあるいはアルミニウム箔よりなる遮熱シートを配設したことを特徴とするブラインド。
【請求項２】
遮熱シートをブラインドの外表面に溶着したことを特徴とする請求項１記載のブラインド。
【請求項３】
支持シートをポリエチレン樹脂で構成したことを特徴とする請求項１記載のブラインド。
【発明の詳細な説明】
【技術分野】
【０００１】  本発明は、家屋やビル等の建屋の窓に開閉可能に配設して遮光、断熱あるいは導光、導熱等をすることにより室内の環境を四季を通じて快適に保持するようにしたブラインドに関するものである。
【背景技術】
【０００２】  近年、生活環境はエネルギーの枯渇によって省エネが叫ばれ、産業界でもエコ製品およびエコ商品の開発に重点が置かれている。中でも室内環境を最適に保持すべく太陽光の遮断や活用についても多くの提案がなされている。その１つとして、ブラインドに透明保温パネルシートを可動に取り付け、ブラインド間の隙間を開閉するように構成し、ブラインド間の隙間を閉じたときは窓からの光を通すようにして採光を妨げず、そしてブラインド間にエアークッション効果を生じさせて二重サッシ窓様として室内の保温、断熱、防音効果を生み出している技術が提案されている（特許文献１参照）。また、スラットに断熱材を積層したブラインドを閉じて断熱効果を生じさせて遮熱するようにした構成のものも提案されている（特許文献２参照）。さらには、同様にスラットに断熱材を塗布したものも提案されている。
【特許文献１】  登録実用新案第３００８６６５号
【特許文献２】  特開平０８−４９４８１号  公報
【発明の開示】
【発明が解決しようとする課題】
【０００３】  しかしながら上記従来の構成では、前者は、ブラインド間に配設した透明保温パネルシートの一端をブラインドの一端に可動に取り付け、ブラインド間で開閉させる可動ヒモを設けることが必要となり、ブラインドとしての構成および操作性が複雑になるという課題を有していた。また後者では、スラットに積層した断熱材が発泡スチレンであるため、断熱効果を得るためにはある程度の厚みが必要となってスラット自身の厚みが増加して全体的に大きくなってしまうといった課題を有していた。【０００４】  本発明は上記従来の課題を解決するもので、簡単な構成で従前のブラインド機能に加えて遮光、断熱あるいは導光、導熱等によって室内環境を四季を通じて快適に保持することができるブラインドを提供することを目的とする。
【課題を解決するための手段】
【０００５】  上記課題を解決するために本発明のブラインドは、ブラインドの外表面に支持シートに積層されたアルミニウムシートあるいはアルミニウム箔よりなる遮熱シートを配設した構成としたものである。したがって、遮熱シートは軽くて薄く構成できるので現状のスラットに重ねるように設けてもブラインド全体の重量および構成もしくは操作性は殆ど変わらず遮光、断熱あるいは導光、導熱できるため室内環境を四季を通じて快適に保持することができるという作用を有する。【０００６】  また本発明の第２のブラインドは、遮熱シートをブラインドの外表面に溶着した構成としたものである。したがって、アルミニウムシートあるいはアルミニウム箔よりなる遮熱シートは非常に薄いので現状のスラットに溶着しても従前のブラインド全体の重量および構成もしくは操作性は殆ど変わらないため遮光、断熱あるいは導光、導熱等によって室内環境を四季を通じて快適に保持することができるという作用を有する。【０００７】  さらに本発明の第３のブラインドは、支持シートをポリエチレン樹脂で構成したものである。したがって、アルミニウムシートあるいはアルミニウム箔を強固に支持することができるため、遮熱シートの製作が容易となると共に破損等が防止できるという作用を有する。
【発明の効果】
【０００８】  本発明のブラインドは上記構成を備えたことにより、アルミニウムシートあるいはアルミニウム箔よりなる遮熱シートは非常に薄いので現状のスラットに重ねるように配設しても、あるいは溶着してもブラインド全体の重量および構成あるいは操作性が殆ど変わらず遮光、断熱あるいは導光、導熱できるため室内環境を快適に保持することができるという作用効果が得られる。また、ブラインドを閉じるとスラット上の遮熱シートが窓方向に向くため、太陽光は９７％位が反射されて室内への遮光、断熱ができることになる。そして、スラット自身も加熱が防止できるため室内への熱伝導が防げることになる。したがって、夏季においては室内温度を２５〜２８℃位にできるため室内環境を快適に保持することができる。冬季においては、ブラインドを太陽光の入射に合わせて開くとスラット上の遮熱シートのアルミニウムシートあるいはアルミニウム箔で反射され、室内の天井や壁に導光、導熱できるため室内温度を高めることができて省エネに貢献することができる。このようなことから夏季においては室内温度を下げるように、冬季においては室内温度を上げるように操作できるため室内環境を四季を通じて快適に保持することができるという作用効果が得られる。また、スラットの外表面に遮熱シートを溶着することで接着力が増し、化学物質を放出する樹脂接着に比べて安全で良好な室内環境が維持できるという作用効果が得られる。さらに、支持シートをポリエチレン樹脂で構成することによりアルミニウムシートあるいはアルミニウム箔を強固に支持することができるため、遮熱シートの製作が容易となると共に破損等が防止できるといったような多くの作用効果が得られる。
【発明を実施するための最良の形態】
【０００９】  以下本発明の一実施の形態について、図面を参照しながら説明する。図１は本発明のブラインドの断面図を、図２は遮熱シートの断面図を示す。図において、１は複数設けられたプラスチック等よりなるスラットで両端がラダーテープ２ａ、２ｂでそれぞれ保持されている。そして一方のラダーテープ２ｂを上方へ引き上げることで各々のスラット１間が閉じられるように構成され、ガラス窓３から入射される太陽光を遮蔽するようになっている。このように構成されているブラインドにおいて、本発明では上記したスラット１の外表面に遮熱シート４を溶着して構成したものである。具体的には図２に示すように、スラット１の外表面に支持シート５に積層されたアルミニウムシートあるいはアルミニウム箔６よりなる遮熱シート４が溶着されている。溶着は８０℃前後の熱溶着が好ましく、接着剤による接着よりも接着強度が大きくなる。また、普通の樹脂接着では加熱されることによって化学物質を放出するため室内環境に悪影響を及ぼすが、上記した溶着は樹脂接着に比べて安全で良好な室内環境が維持できる。【００１０】  アルミニウムシートあるいはアルミニウム箔６はポリエチレンテレフタレート（ＰＥＴ）樹脂よりなる支持シート５に接着剤によって接着積層されている。このような構成よりなる遮熱シート４は、厚さが２５μｍと極めて薄く形成されており、発泡系の断熱材料に比べて軽量かつ薄くてアルミニウムシートあるいはアルミニウム箔の剛性によって広範な形状に切断・成形が容易となる特性を備えている。特にアルミニウムシートあるいはアルミニウム箔６は純度が９９．９９％のアルミニウムを使用することで電磁波の遮断効率が高いため輻射熱に対して反射効率が高いので高断熱作用がある。また、支持シート５はポリエチレンテレフタレート（ＰＥＴ）樹脂で成形されており、アルミニウムシートあるいはアルミニウム箔６と一体化支持する役割りと電気伝導を防ぐ絶縁作用を有している。【００１１】  上記した構成では、スラット１の外表面に支持シート５に積層されたアルミニウムシートあるいはアルミニウム箔６よりなる遮熱シート４が溶着されてスラット１が形成されているが、遮熱シート４を別途シート状に成形してスラット１上に若干の隙間を設けて重ねるように配設しても上記と同様の作用効果が得られることは言うまでもない。【００１２】  図３は上記した構成のブラインドを閉じた状態の断面図を示し、スラット１上の遮熱シート４が窓方向に向くため、太陽光は９７％位が反射され室内への遮光、断熱ができることになる。そして、スラット１自身も加熱が防止できるため室内への熱伝導が防げることになる。したがって、夏季においては室内温度を２５〜２８℃位にできるため室内環境を快適に保持することができる。【００１３】  また、冬季においては、図１に示すようにブラインドを太陽光７ａ、７ｂの入射に合わせて開くとスラット１上の遮熱シート４のアルミニウムシートあるいはアルミニウム箔６で反射され、室内の天井や壁に導光、導熱できるため室内温度を高めることができて省エネに貢献することができる。したがって、夏季においては室内温度を下げるように、冬季においては室内温度を上げるように操作できるため室内環境を四季を通じて快適に保持することができる。
【産業上の利用可能性】  本発明は、例えば家屋やビル等の建屋の窓に開閉可能に配設して遮光、断熱あるいは導光、導熱等をすることにより室内の環境を四季を通じて快適に保持するブラインドとして有用である。
【図面の簡単な説明】
【００１４】
【図１】本発明のブラインドの断面図
【図２】本発明の遮熱シートの断面図
【図３】本発明のブラインドを閉じた状態の断面図
【符号の説明】
【００１５】１    スラット
２ａ  ラダーテープ
２ｂ  ラダーテープ
３    ガラス窓
４    遮熱シート
５    支持シート
６    アルミニウムシートあるいはアルミニウム箔
７ａ  太陽光
７ｂ  太陽光
【図１】
2012202198.tif 000003
【図２】
2012202198.tif 000004
【図３】
2012202198.tif 000005